(57)【要約】【解決手段】刃受台１４，１５に刃体１６，１７を取り付けた両鋏片２，３を互いに開閉動可能に支持している。両鋏片２，３の刃受台１４，１５は両鋏片２，３の回動中心線１８ａの方向の両側のうち一方の側において開閉動方向Ｘの両側で互いに並べられているとともに、両鋏片２，３の刃体１６，１７は両鋏片２，３の回動中心線１８ａの方向の両側のうち他方の側において開閉動方向Ｘの両側で互いに並べられている。両鋏片２，３において両刃体１６，１７はかしめ軸２２により互いに連結された状態Ｒで両刃受台１４，１５の載置壁２９，３０に載置されている。【効果】両刃受台１４，１５に対し両刃体１６，１７を容易に組み付けることができる。【選択図】図２
2005278852.tif 000002
【特許請求の範囲】
【請求項１】
刃受台に刃体を取り付けた両鋏片を互いに開閉動可能に支持した鋏において、この両鋏片の刃受台は両鋏片の回動中心線の方向の両側のうち一方の側において開閉動方向の両側で互いに並べられているとともに、この両鋏片の刃体は両鋏片の回動中心線の方向の両側のうち他方の側において開閉動方向の両側で互いに並べられていることを特徴とする鋏。
【請求項２】
前記両鋏片において両刃体は回動中心軸部により互いに連結された状態で両刃受台の載置部に載置されていることを特徴とする請求項１に記載の鋏。
【請求項３】
前記両鋏片において両刃体は回動中心軸部により互いに連結された状態で両刃受台の載置部に載置され、
前記両刃受台の載置部において刃体が刃受台とともに開閉動し得るように位置決めする第一規制部を共に設け、この両刃受台の載置部のうち、一方の載置部では開閉動方向を含む面に直交する方向における刃体の移動を規制する第二規制部を設けるとともに、他方の載置部では開閉動方向を含む面に直交する方向における刃体の移動を許容する許容部を設けたことを特徴とする請求項１に記載の鋏。
【請求項４】
前記刃体が載置される両刃受台の載置部において刃体が刃受台とともに開閉動し得るように位置決めする第一規制部を共に設け、この両刃受台の載置部のうち、一方の載置部では開閉動方向を含む面に直交する方向における刃体の移動を規制する第二規制部を設けるとともに、他方の載置部では開閉動方向を含む面に直交する方向における刃体の移動を許容する許容部を設け、
両鋏片の開状態において両鋏片の回動中心線側で一方の載置部側の刃体と他方の載置部との間に他方の載置部側の刃体を挟持した
ことを特徴とする請求項１に記載の鋏。
【請求項５】
前記両刃受台の載置部において、一方の載置部における第一規制部及び他方の載置部における第一規制部は、刃体に形成した係止孔に係入される係止軸であり、一方の載置部における第二規制部は、この刃体の係止孔の内周縁に係止されて一方の載置部との間で刃体を挟持するこの係止軸の係止頭部であり、他方の載置部における許容部は、この刃体の係止孔の内周縁に対する係止が解除されたこの係止軸の端部であることを特徴とする請求項３または請求項４に記載の鋏。
【請求項６】
前記両刃受台の載置部のうち一方の載置部で係止軸の係止頭部を覆う被冠部を有する蓋を設けたことを特徴とする請求項５に記載の鋏。
【請求項７】
前記蓋は、刃体に形成した係止孔を通して一方の載置部に係止される係止軸を有していることを特徴とする請求項６に記載の鋏。
【請求項８】
前記一方の載置部の係止軸は前記蓋の係止軸よりも回動中心線に対し遠い位置にあることを特徴とする請求項７に記載の鋏。
【請求項９】
前記両鋏片の刃受台は両鋏片の回動中心線に隣接する基端部で互いに繋がっていることを特徴とする請求項１から請求項８のうちいずれかの請求項に記載の鋏。
【請求項１０】
刃受台に刃体を取り付けた両鋏片を互いに開閉動可能に支持した鋏を組み付ける際に、まず両刃体を回動中心軸部により互いに連結して連結状態にし、次にその連結状態にある両刃体を両刃受台の載置部に載置することを特徴とする鋏の組付方法。
【請求項１１】
両鋏片の回動中心線の方向の両側のうち一方の側において開閉動方向の両側で互いに並べられている両刃受台の載置部に対し、両鋏片の回動中心線の方向の両側のうち他方の側から、前記連結状態にある両刃体を載置してその他方の側において開閉動方向の両側で互いに並べることを特徴とする請求項１０に記載の鋏の組付方法。
【請求項１２】
請求項１から請求項９のうちいずれかの請求項に記載の鋏を鋏本体として収容するケースを備え、この鋏本体は、ケースに設けた案内孔から露出する操作部を有し、その操作部に対する操作により、両鋏片をケース内から突出させる突出状態と、両鋏片をケース内に収容させる収容状態との間でケースに対し移動可能に支持されていることを特徴とするケース付き鋏。
【請求項１３】
前記操作部は、前記両刃受台に対し分離して設けられ、ケースに収容された鋏本体に設けた連結部に対し案内孔を通して取着され、両鋏片の突出状態で案内孔の内縁に係止されてケースに対する両鋏片の抜け落ちを阻止するストッパとして機能することを特徴とする請求項１２に記載のケース付き鋏。
【請求項１４】
前記鋏本体の連結部または操作部には両側で固定された両持ち梁状の弾性部を設け、この弾性部に係止部を設けるとともに、前記ケースの案内孔の内縁には前記両鋏片の突出状態でこの弾性部の係止部が係合される係止部と前記両鋏片の収容状態でこの弾性部の係止部が係合される係止部とを設けたことを特徴とする請求項１３に記載のケース付き鋏。
【請求項１５】
請求項６または請求項７または請求項８に記載の鋏を鋏本体として収容するケースを備え、この鋏本体は、ケースに設けた案内孔から露出する操作部を有し、その操作部に対する操作により、両鋏片をケース内から突出させる突出状態と、両鋏片をケース内に収容させる収容状態との間でケースに対し移動可能に支持され、この突出状態で前記蓋はその一部がケースから外側へ突出せずにケース内に残っていることを特徴とするケース付き鋏。
【発明の詳細な説明】
【技術分野】
【０００１】
本発明は、刃受台に刃体を取り付けた両鋏片を互いに開閉動可能に支持した鋏、その鋏の組付方法、鋏本体をケース内から突出させる状態とケース内に収容させる状態とを取り得るケース付き鋏に関するものである。
【背景技術】
【０００２】
下記特許文献１では、互いに分離された刃体４が両鋏片１，２の刃受台の先端側対向面に別々に取着されている。すなわち、一方の鋏片１の刃受台と一方の刃体４とが両鋏片１，２の回動中心線の方向の両側のうち一方の側において開閉動方向の両側で互いに並べられているとともに、他方の鋏片２の刃受台と他方の刃体４とが両鋏片１，２の回動中心線の方向の両側のうち他方の側において開閉動方向の両側で互いに並べられている。
【特許文献１】実公平２−２８８７８号公報
【発明の開示】
【発明が解決しようとする課題】
【０００３】
両鋏片１，２の刃受台には両刃体４を下記の手順で組み付ける。
まず、一方の鋏片１の刃受台を上向きにするとともに他方の鋏片２の刃受台を下向きにした状態で、一方の鋏片１の刃受台に一方の刃体４を載置して位置決めする。次に、他方の鋏片２の刃受台を上向きにするとともに一方の鋏片１の刃受台を下向きにした状態で、他方の鋏片２の刃受台に他方の刃体４を載置して位置決めする。
【０００４】
上記のような組付け手順であると、両鋏片１，２の刃受台を上下逆向きにする作業と、両鋏片１，２の刃受台に両刃体４を別々に載せて位置決めする作業とを必要とする。そのため、それらの組付け作業に手間がかかる問題があった。
【０００５】
この発明は、両鋏片において刃受台に刃体を組み付ける作業を簡易化することを目的としている。
【課題を解決するための手段】
【０００６】
後記実施形態の図面（図１〜７）の符号を援用して本発明を説明する。
＊  請求項１〜９の発明にかかる鋏
請求項１の発明にかかる鋏（１）は下記のように構成されている。
【０００７】
この鋏（１）においては、刃受台（１４，１５）に刃体（１６，１７）を取り付けた両鋏片（２，３）を互いに開閉動可能に支持している。この両鋏片（２，３）の刃受台（１４，１５）は両鋏片（２，３）の回動中心線（１８ａ）の方向の両側のうち一方の側において開閉動方向（Ｘ）の両側で互いに並べられている。この両鋏片（２，３）の刃体（１６，１７）は両鋏片（２，３）の回動中心線（１８ａ）の方向の両側のうち他方の側において開閉動方向（Ｘ）の両側で互いに並べられている。その場合、請求項２の発明のように両刃体（１６，１７）を連結状態（Ｒ）にしてもよいし、図示しないが、両刃体（１６，１７）を互い分離させてもよい。この鋏としては、後記実施形態のように、基端部（２８）から先端部へ延設した両刃受台（１４，１５）の先端部側に刃体（１６，１７）を取着するとともにこの両刃受台（１４，１５）を把持柄とした握り鋏（１）以外に、図示しないが、Ｘ状に交差させた両刃受台を開閉中心部で互いに回動可能に支持してその開閉中心部よりも先端側で両刃受台に刃体を取着するとともにその開閉中心部よりも基端側の両刃受台を把持柄とした西洋鋏も含む。
【０００８】
請求項１の発明では、両刃受台（１４，１５）に対し同じ側から両刃体（１６，１７）を取り付けることができるので、両刃受台（１４，１５）に対し両刃体（１６，１７）を容易に組み付けることができる。
【０００９】
請求項１の発明を前提とする請求項２の発明において、前記両鋏片（２，３）で両刃体（１６，１７）は回動中心軸部（２２）により互いに連結された状態（Ｒ）で両刃受台（１４，１５）の載置部（２９，３０）に載置されている。
【００１０】
請求項２の発明では、両刃体（１６，１７）を互いに連結した状態（Ｒ）で両刃受台（１４，１５）の載置部（２９，３０）に対し同時に載置することができるので、両刃受台（１４，１５）に対し両刃体（１６，１７）をより一層容易に組み付けることができる。また、両刃体（１６，１７）を回動中心軸部（２２）により緩みなく連結することができるので、両刃体（１６，１７）の噛合わせ状態を良好にすることができる。
【００１１】
請求項１の発明を前提とする請求項３の発明は、下記のように構成されている。
前記両鋏片（２，３）において両刃体（１６，１７）は回動中心軸部（２２）により互いに連結された状態（Ｒ）で両刃受台（１４，１５）の載置部（２９，３０）に載置されている。前記両刃受台（１４，１５）の載置部（２９，３０）において刃体（１６，１７）が刃受台（１４，１５）とともに開閉動し得るように位置決めする第一規制部（４３，４６，３６，３７）を共に設けている。この両刃受台（１４，１５）の載置部（２９，３０）のうち、一方の載置部（２９）では開閉動方向（Ｘ）を含む面に直交する方向（Ｙ）における刃体（１６）の移動を規制する第二規制部（４３ａ）を設けている。他方の載置部（３０）では開閉動方向（Ｘ）を含む面に直交する方向（Ｙ）における刃体（１７）の移動を許容する許容部（３６ａ，３７ａ）を設けている。
【００１２】
請求項３の発明では、両刃体（１６，１７）を互いに連結した状態（Ｒ）で両刃受台（１４，１５）の載置部（２９，３０）に載置することができるので、両刃受台（１４，１５）に対し両刃体（１６，１７）をより一層容易に組み付けることができる。また、両刃体（１６，１７）を回動中心軸部（２２）により緩みなく連結することができるので、両刃体（１６，１７）の噛合わせ状態を良好にすることができる。さらに、一方の載置部（２９）では前記第二規制部（４３ａ）を設けたが、他方の載置部（３０）では前記許容部（３６ａ，３７ａ）を設けたので、他方の載置部（３０）では刃受台（１５）に対し刃体（１７）をより一層容易に組み付けることができる。その場合でも、両刃体（１６，１７）が連結状態（Ｒ）にあるので、他方の載置部（３０）で刃体（１７）の離脱を防止することができる。
【００１３】
請求項１の発明を前提とする請求項４の発明は、下記のように構成されている。
前記刃体（１６，１７）が載置される両刃受台（１４，１５）の載置部（２９，３０）において刃体（１６，１７）が刃受台（１４，１５）とともに開閉動し得るように位置決めする第一規制部（４３，４６，３６，３７）を共に設けている。この両刃受台（１４，１５）の載置部（２９，３０）のうち、一方の載置部（２９）では開閉動方向（Ｘ）を含む面に直交する方向（Ｙ）における刃体（１６）の移動を規制する第二規制部（４３ａ）を設けている。他方の載置部（３０）では開閉動方向（Ｘ）を含む面に直交する方向（Ｙ）における刃体（１７）の移動を許容する許容部（３６ａ，３７ａ）を設けている。両鋏片（２，３）の開状態において両鋏片（２，３）の回動中心線（１８ａ）側で一方の載置部（２９）側の刃体（１６）と他方の載置部（３０）との間に他方の載置部（３０）側の刃体（１７）を挟持している。
【００１４】
請求項４の発明では、一方の載置部（２９）で前記第二規制部（４３ａ）を設けたが、他方の載置部（３０）で前記許容部（３６ａ，３７ａ）を設けたので、他方の載置部（３０）で刃受台（１５）に対し刃体（１７）をより一層容易に組み付けることができる。その場合でも、一方の載置部（２９）側の刃体（１６）が他方の載置部（３０）側の刃体（１７）を挟持しているので、他方の載置部（３０）で刃体（１７）の離脱を防止することができる。
【００１５】
請求項３または請求項４の発明を前提とする請求項５の発明は、下記のように構成されている。
前記両刃受台（１４，１５）の載置部（２９，３０）において、一方の載置部（２９）における第一規制部及び他方の載置部（３０）における第一規制部は、刃体（１６，１７）に形成した係止孔（２３，２５，２４，２６）に係入される係止軸（４３，４６，３６，３７）である。一方の載置部（２９）における第二規制部は、この刃体（１６）の係止孔（２３）の内周縁に係止されて一方の載置部（２９）との間で刃体（１６）を挟持するこの係止軸（４３）の係止頭部（４３ａ）である。他方の載置部（３０）における許容部は、この刃体（１７）の係止孔（２４，２６）の内周縁に対する係止が解除されたこの係止軸（３６，３７）の端部（３６ａ，３７ａ）である。請求項５の発明では、第一規制部や第二規制部や許容部を簡単な構造にすることができる。
【００１６】
請求項５の発明を前提とする請求項６の発明においては、前記両刃受台（１４，１５）の載置部（２９，３０）のうち一方の載置部（２９）で係止軸（４３）の係止頭部（４３ａ）を覆う被冠部（４５）を有する蓋（４４）を設けている。
【００１７】
請求項６の発明では、係止軸（４３）の係止頭部（４３ａ）が蓋（４４）により隠されるので、見映えが良くなるとともに、その係止頭部（４３ａ）の損傷を防止することができる。また、この係止軸を雄ねじ（４３）にした際にその雄ねじ（４３）の係止頭部（４３ａ）に触れにくくなって雄ねじ（４３）の緩みを防止することができる。
【００１８】
請求項６の発明を前提とする請求項７の発明において、前記蓋（４４）は、刃体（１６）に形成した係止孔（２５）を通して一方の載置部（２９）に係止される係止軸（４６）を有している。また、請求項７の発明を前提とする請求項８の発明において、前記一方の載置部（２９）の係止軸（４３）はこの蓋（４４）の係止軸（４６）よりも回動中心線（１８ａ）に対し遠い位置にある。すなわち、蓋（４４）の係止軸（４６）は回動中心線（１８ａ）と一方の載置部（２９）の係止軸（４３）との間にある。
【００１９】
請求項７及び請求項８の発明では、この蓋（４４）の係止軸（４６）が前記第一規制部として機能するばかりではなく蓋（４４）の止め手段としても機能し、それらの機能を兼用させた簡単な構造にすることができる。また、複数の係止軸（４３，４６）により一方の載置部（２９）に一方の刃体（１６）を強固に止めることができる。
【００２０】
請求項１から請求項８のうちいずれかの請求項の発明を前提とする請求項９の発明において、前記両鋏片（２，３）の刃受台（１４，１５）は両鋏片（２，３）の回動中心線（１８ａ）に隣接する基端部（２８）で互いに繋がっている。例えば、この両刃受台（１４，１５）の基端部（２８）に嵌め込んだばね（３８）により、両刃受台（１４，１５）を互いに開くように付勢する。請求項９の発明では、握り鋏（１）において基端部（２８）で互いに繋がった両刃受台（１４，１５）に対し両刃体（１６，１７）をより一層容易に組み付けることができる。
【００２１】
＊  請求項１０〜１１の発明にかかる鋏の組付方法
請求項１０の発明にかかる鋏の組付方法においては、刃受台（１４，１５）に刃体（１６，１７）を取り付けた両鋏片（２，３）を互いに開閉動可能に支持した鋏（１）を組み付ける際に、まず両刃体（１６，１７）を回動中心軸部（２２）により互いに連結して連結状態（Ｒ）にし、次にその連結状態（Ｒ）にある両刃体（１６，１７）を両刃受台（１４，１５）の載置部（２９，３０）に載置する。また、請求項１０の発明を前提とする請求項１１の発明において、両鋏片（２，３）の回動中心線（１８ａ）の方向の両側のうち一方の側において開閉動方向（Ｘ）の両側で互いに並べられている両刃受台（１４，１５）の載置部（２９，３０）に対し、両鋏片（２，３）の回動中心線（１８ａ）の方向の両側のうち他方の側から、前記連結状態（Ｒ）にある両刃体（１６，１７）を載置してその他方の側において開閉動方向（Ｘ）の両側で互いに並べる。
【００２２】
請求項１０及び請求項１１の発明では、両刃受台（１４，１５）に対し両刃体（１６，１７）を容易に組み付けることができる。
＊  請求項１２〜１５の発明にかかるケース付き鋏
請求項１２の発明にかかるケース付き鋏は、下記のように構成されている。
【００２３】
請求項１から請求項９のうちいずれかの請求項に記載の鋏を鋏本体（１）として収容するケース（４）を備えている。この鋏本体（１）は、ケース（４）に設けた案内孔（６）から露出する操作部（４７）を有し、その操作部（４７）に対する操作により、両鋏片（２，３）をケース（４）内から突出させる突出状態（Ｐ）と、両鋏片（２，３）をケース（４）内に収容させる収容状態（Ｑ）との間でケース（４）に対し移動可能に支持されている。請求項１２の発明では、携帯や保管に便利であるとともに、請求項１から請求項９のうちいずれかの請求項の発明の効果を奏するケース付き鋏を提供することができる。
【００２４】
請求項１２の発明を前提とする請求項１３の発明において、前記操作部（４７）は、前記両刃受台（１４，１５）に対し分離して設けられ、ケース（４）に収容された鋏本体（１）に設けた連結部（３１）に対し案内孔（６）を通して取着され、両鋏片（２，３）の突出状態（Ｐ）で案内孔（６）の内縁に係止されてケース（４）に対する両鋏片（２，３）の抜け落ちを阻止するストッパとして機能する。
【００２５】
請求項１３の発明では、操作部（４７）を両刃受台（１４，１５）に対し分離したので、鋏本体（１）をケース（４）に対し容易に収容することができる。また、この操作部（４７）に対しストッパ機能を兼用させたので、簡単かつ確実な抜落防止構造にすることができる。
【００２６】
請求項１３の発明を前提とする請求項１４の発明において、前記鋏本体（１）の連結部（３１）または操作部（４７）には両側で固定された両持ち梁状の弾性部（４１）を設け、この弾性部（４１）に係止部（４２）を設けるとともに、前記ケース（４）の案内孔（６）の内縁には前記両鋏片（２，３）の突出状態（Ｐ）でこの弾性部（４１）の係止部（４２）が係合される係止部（１２）と前記両鋏片（２，３）の収容状態（Ｑ）でこの弾性部（４１）の係止部（４２）が係合される係止部（１３）とを設けている。
【００２７】
請求項１４の発明では、ケース（４）に対し両鋏片（２，３）を簡単な位置決め構造により突出状態（Ｐ）及び収容状態（Ｑ）で確実に保持することができる。
請求項１５の発明にかかるケース付き鋏は、下記のように構成されている。
【００２８】
請求項６または請求項７または請求項８に記載の鋏を鋏本体（１）として収容するケース（４）を備えている。この鋏本体（１）は、ケース（４）に設けた案内孔（６）から露出する操作部（４７）を有し、その操作部（４７）に対する操作により、両鋏片（２，３）をケース（４）内から突出させる突出状態（Ｐ）と、両鋏片（２，３）をケース（４）内に収容させる収容状態（Ｑ）との間でケース（４）に対し移動可能に支持されている。この突出状態（Ｐ）で前記蓋（４４）はその一部（４４ａ）がケース（４）から外側へ突出せずにケース（４）内に残っている。
【００２９】
請求項１５の発明では、携帯や保管に便利であるとともに、請求項６または請求項７または請求項８の発明の効果を奏するケース付き鋏を提供することができる。また、蓋（４４）の一部（４４ａ）がケース（４）に係合するため、蓋（４４）の離脱を防止することができる。
【発明の効果】
【００３０】
本発明にかかる鋏、鋏の組付方法及びケース付き鋏は、両刃受台（１４，１５）に対し両刃体（１６，１７）を容易に組み付けることができる。
【発明を実施するための最良の形態】
【００３１】
以下、本発明の一実施形態にかかるケース付き握り鋏について図１〜７を参照して説明する。
このケース付き握り鋏は、互いに開閉動可能な両鋏片２，３を有する握り鋏本体１と、この握り鋏本体1を収容し得るケース４とを備えている。
【００３２】
前記ケース４は、ＡＢＳ等の合成樹脂（内側が外側から視認し得る透明または半透明な材質や内側が外側から視認し得ない不透明な材質）により一体成形され、細長い案内孔６を有する表壁５と、この表壁５に対向する裏壁７と、この表裏両壁５，７の外周縁間に形成されて相対向する両側壁８と、この表壁５と裏壁７と両側壁８とにより囲まれた収容室９とを備えている。この両側壁８の外側には凹凸状の指当部８ａが形成されている。この収容室９は頭部側の出入口１０で開放され、この出入口１０に対向する側壁８の尻部外側に鎖引掛孔１１が形成されている。前記案内孔６は表壁５の頭部付近から尻部付近にわたり延設され、この案内孔６の頭部側内縁と尻部側内縁とにそれぞれ係止凹部１２，１３（係止部）が形成されている。
【００３３】
前記握り鋏本体１の両鋏片２，３は、それぞれ、ポリアセタール等の合成樹脂により成形された刃受台１４，１５と、ステンレス鋼により成形された刃体１６，１７とを備えている。
【００３４】
前記両鋏片２，３の刃体１６，１７はかしめ孔１９を有する基端側の回動支持部１８から先端部へ延設され、その回動支持部１８と先端部との間で両刃体１６，１７の腹側に刃先２０が形成されているとともに、その刃先２０に対し対辺になる両刃体１６，１７の背側に背縁部２１が形成されている。刃体１７の刃先２０には細かい多数の滑り止め溝２０ａ（セレーション）が刃先２０の延設方向に沿って並設されている。この両刃体１６，１７の回動支持部１８が互いに重合され、この両回動支持部１８のかしめ孔１９に頭２２ａ付きのかしめ軸２２（回動中心軸部）が挿嵌されてその両回動支持部１８がかしめ軸２２によりかしめ着されている。この両刃体１６，１７にはそれぞれ回動支持部１８と先端部との間で先端側の係止孔２３，２４と基端側の係止孔２５，２６とが貫設されている。
【００３５】
前記両鋏片２，３の刃受台１４，１５は、基端部２８から先端部へ延設された側壁２７と、この側壁２７の基端部２８と先端部との間で側壁２７の表側端縁から内側へ突出する載置壁２９，３０（載置部）と、この側壁２７の基端部２８と載置壁２９，３０との間で基端部２８の表側端縁から内側へ突出する連結部３１とからなり、この側壁２７の基端部２８で互いに一体に繋がっている。この両側壁２７の外側には載置壁２９，３０と対応して凹凸状の指当部３２が形成されている。この両刃受台１４，１５の裏側には両側壁２７の内面と両載置壁２９，３０の裏面と連結部３１の裏面との間で収容凹所３３が形成されている。両刃受台１４，１５の載置壁２９，３０のうち、一方の載置壁２９の裏面には先端側の雌ねじ孔３４と基端側の係止凹部３５とが形成されているとともに、他方の載置壁３０の裏面には先端側の係止軸３６（第一規制部）と基端側の係止軸３７（第一規制部）とが突設されている。両側壁２７の基端部２８の内側にはＵ状に折曲された棒状のばね３８が嵌め込まれ、そのばね３８の弾性力により両刃受台１４，１５の載置壁２９，３０が互いに開くように付勢されている。前記連結部３１においては、止め孔３９が貫設されているとともに、スリット４０により両側で固定された両持ち梁状の弾性部４１が形成され、この弾性部４１に係止突起４２（係止部）が形成されている。
【００３６】
前記両刃体１６，１７は回動支持部１８により互いに連結された状態Ｒで前記両刃受台１４，１５の収容凹所３３に嵌め込まれ、一方の刃体１６が一方の載置壁２９の裏面に載置されるとともに、他方の刃体１７が他方の載置壁３０の裏面に載置され、両刃体１６，１７の回動支持部１８及びかしめ軸２２の頭２２ａが連結部３１の裏面に面する。一方の載置壁２９では、一方の刃体１６の両係止孔２３，２５が雌ねじ孔３４及び係止凹部３５に重合され、一体成形された雄ねじ４３（係止軸、第一規制部）がこの係止孔２３に挿入されて雌ねじ孔３４に螺合され、その雄ねじ４３の係止頭部４３ａ（第二規制部）が係止孔２３の内周縁に係止されて刃体１６を挟持する。図示しないが、この雄ねじ４３に代えて頭付き止めピン（係止軸、第一規制部、第二規制部）を刃体１６の係止孔２３に挿入して載置壁２９の止め凹部に締りばめしたり、この雄ねじ４３に代えて載置壁２９と一体に設けられた止め軸（係止軸、第一規制部）を刃体１６の係止孔２３に挿入してこの係止孔２３から突出した止め軸の端部（第二規制部）を刃体１６にかしめたりしてもよい。一方の載置壁２９との間で刃体１６を挟持する蓋４４は刃受台１４，１５と同一の材質からなり、この蓋４４の内側には先端側の凹状の被冠部４５と基端側の係止軸４６（第一規制部）とが形成され、この被冠部４５が雄ねじ４３の係止頭部４３ａを覆うとともに、この係止軸４６が刃体１６の係止孔２５に挿入されて係止凹部３５に係入される。他方の載置壁３０では、他方の刃体１７の両係止孔２４，２６に両係止軸３６，３７が係入され、この両係止孔２４，２６の内周縁に対するこの両係止軸３６，３７の端部３６ａ，３７ａ（許容部）の係止が解除されているため、両係止孔２４，２６に対し両係止軸３６，３７を自在に挿脱し得る。この両係止軸３６，３７の端部３６ａ，３７ａはこの両係止孔２４，２６の内周縁から刃体１７の外面よりも外側へ突出しているが、これらの端部３６ａ，３７ａを両係止孔２４，２６の内周縁から刃体１７の外面よりも内側へ没入させたり、これらの端部３６ａ，３７ａの端面を刃体１７の外面と面一にしたりしてもよい。
【００３７】
このように両刃体１６，１７を両刃受台１４，１５に取り付けた状態では、両刃受台１４，１５が両刃体１６，１７の回動支持部１８の回動中心線１８ａの方向の両側のうち一方の側において開閉動方向Ｘの両側で互いに並べられるとともに、両刃体１６，１７がこの回動中心線１８ａの方向の両側のうち他方の側において開閉動方向Ｘの両側で互いに並べられ、両刃体１６，１７は刃先２０が互いに噛合わされた状態で両刃受台１４，１５とともに開閉動し得る。一方の載置壁２９では開閉動方向Ｘを含む面に直交する方向Ｙ（回動中心線１８ａの方向と平行な方向）における刃体１６の移動が規制される。他方の載置壁３０では開閉動方向Ｘを含む面に直交する方向Ｙにおける刃体１７の移動が許容されるが、両刃体１６，１７が回動支持部１８で互いに連結されているとともに、一方の載置壁２９側の刃体１６と他方の載置壁３０との間に他方の載置壁３０側の刃体１７が挟持されているため、開閉動方向Ｘを含む面に直交する方向Ｙにおける刃体１７の移動が規制される。
【００３８】
前記握り鋏本体１は両刃受台１４，１５の基端部２８側から前記ケース４の出入口１０を通して収容室９へ挿入され、両刃受台１４，１５の載置壁２９，３０の表面及び連結部３１の表面がケース４の表壁５の内側に面し、両刃体１６，１７及びこの連結部３１の裏面がケース４の裏壁７の内側に面し、両刃受台１４，１５の側壁２７がケース４の両側壁８の内側に面する。この連結部３１に対し分離して形成された操作部４７は、ケース４の案内孔６を通してこの連結部３１の止め孔３９に嵌着されてその案内孔６から露出する。図示しないが、この操作部４７に前記弾性部４１及びその係止突起４２を形成してもよい。この操作部４７を案内孔６に沿って移動させると、両鋏片２，３がケース４内から突出する突出状態Ｐと、両鋏片２，３がケース４内に収容される収容状態Ｑとを取る。この突出状態Ｐと収容状態Ｑとでそれぞれ操作部４７における弾性部４１の係止突起４２が案内孔６における頭部側及び尻部側の係止凹部１２，１３に係合される。この操作部４７は突出状態Ｐで案内孔６の内縁に係止されてケース４に対する両鋏片２，３の抜け落ちを阻止するストッパとして機能する。この突出状態Ｐにおいて前記蓋４４はその一部４４ａがケース４の出入口１０から外側へ突出せずに刃体１６とケース４の裏壁７との間でその裏壁７に重合されて刃受台１４から離脱しない。使用時には突出状態Ｐでケース４を把持して指当部３２に指を当て、その指で両鋏片２，３を開閉動させて使用する。その開閉動時には、一方の載置壁２９に形成された切込み２９ａに他方の載置壁３０側の刃体１７の刃先２０が入り込む。
【００３９】
ちなみに、前記ケース付き握り鋏において、最大長さＬは突出状態Ｐで２０ｍｍ以上３００ｍｍ以下の範囲にあって実施形態で約６６ｍｍ、収容状態Ｑで１５ｍｍ以上１５０ｍｍ以下の範囲にあって実施形態で約４６ｍｍに設定され、ケース４の最大幅Ｗは８ｍｍ以上１００ｍｍ以下の範囲にあって実施形態で約１９ｍｍに設定され、最大厚さＴは操作部４７を含めた場合４ｍｍ以上５０ｍｍ以下の範囲にあって実施形態で約１１．２ｍｍに設定され、全体の重さは実施形態で約８ｇに設定されている。また、前記両刃体１６，１７の刃先２０の刃角度θについては、切断対象物に応じて種々設定でき、以下の値に限定されないが、例えば、両刃体１６，１７共に７５°以上８５°以下に設定するとともに刃体１７の刃先２０にのみ多数の滑り止め溝２０ａを形成した場合ポリエチレン糸の切断に適し、両刃体１６，１７共に７５°以上８５°以下に設定するとともに前記滑り止め溝２０ａを形成しない場合金属糸などの硬い糸の切断に適し、一方の刃体１６が５５°以上６５°以下で他方の刃体１７が６５°以上７５°以下に設定するとともに両刃体１６，１７共に前記滑り止め溝２０ａを形成しない場合ナイロン糸の切断に適し、両刃体１６，１７共に５５°以上６５°以下に設定するとともに前記滑り止め溝２０ａを形成しない場合ナイロン糸の切断に適するばかりでなくさらに切れ味も向上させることができる。
【図面の簡単な説明】
【００４０】
【図１】（ａ）は本実施形態にかかるケース付き握り鋏において握り鋏本体の収容状態を正面側から見て示す組付斜視図であり、（ｂ）は同じく突出状態を正面側から見て示す組付斜視図である。
【図２】（ａ）は図１のケース付き握り鋏において握り鋏本体をケースから取り出した状態を正面側から見て示す分解斜視図であり、（ｂ）はこの握り鋏本体の背面側を示す斜視図である。
【図３】（ａ）は図２（ｂ）に示す握り鋏本体の分解斜視図であり、（ｂ）は（ａ）に示す両刃体の刃角度を示す部分断面図である。
【図４】（ａ）は上記ケース付き握り鋏において握り鋏本体の突出状態を示す背面図であり、（ｂ）は同じく平面図である。
【図５】（ａ）は上記ケース付き握り鋏で握り鋏本体の収容状態を正面側から見て示す拡大断面図であり、（ｂ）は同じく収容状態を背面側から見て示す拡大断面図である。
【図６】（ａ）は上記ケース付き握り鋏で握り鋏本体の突出状態を正面側から見て示す拡大断面図であり、（ｂ）は同じく突出状態を背面側から見て示す拡大断面図である。
【図７】（ａ）は図５（ａ）のＡ−Ａ線拡大断面図であり、（ｂ）は図６（ｂ）のＢ−Ｂ線部分拡大断面図であり、（ｂ）は図６（ｂ）のＣ−Ｃ線部分拡大断面図である。
【符号の説明】
【００４１】
１…握り鋏本体、２，３…鋏片、４…ケース、６…案内孔、１２，１３…係止凹部（係止部）、１４，１５…刃受台、１６，１７…刃体、１８ａ…回動中心線、２２…かしめ軸（回動中心軸部）、２３，２４，２５，２６…係止孔、２８…基端部、２９，３０…載置壁（載置部）、３１…連結部、３６，３７…係止軸（第一規制部）、３６ａ，３７ａ…端部（許容部）、４１…弾性部、４２…係止突起（係止部）、４３…雄ねじ（係止軸、第一規制部）、４３ａ…係止頭部（第二規制部）、４４…蓋、４４ａ…蓋の一部、４５…被冠部、４６…係止軸（第一規制部）、４７…操作部、Ｐ…突出状態、Ｑ…収容状態、Ｒ…連結状態、Ｘ…開閉動方向、Ｙ…開閉動方向を含む面に直交する方向。
【図１】
2005278852.tif 000003
【図２】
2005278852.tif 000004
【図３】
2005278852.tif 000005
【図４】
2005278852.tif 000006
【図５】
2005278852.tif 000007
【図６】
2005278852.tif 000008
【図７】
2005278852.tif 000009